(57)【特許請求の範囲】
【請求項１】
上端が開口し、下端が閉鎖されたプラスチックフィルムからなる袋体と、前記袋体に形成された通気孔と、前記通気孔を塞いで雑菌の侵入を阻止し空気を通過させるフィルタとを備え、
前記袋体と前記フィルタとは、前記通気孔の外周を取り囲む溶着部により溶着されており、前記通気孔の開口縁と前記溶着部との間には一対の切り込みが設けられ、
前記一対の切り込みと前記溶着部と前記開口縁とによって囲まれた領域には、前記袋体と前記フィルタとを接着固定する接着固定部が設けられている、菌床栽培用袋。
【請求項２】
前記通気孔は、前記袋体の上端側に位置し、一対の前記切り込みは、前記開口縁から下端方向に向けて延びている、請求項１に記載の菌床栽培用袋。
【請求項３】
前記切り込みは、前記溶着部にまで延びている、請求項１または２に記載の菌床栽培用袋。
【請求項４】
前記接着固定部は、前記通気孔の前記開口縁から前記溶着部まで延びている、請求項１〜３のいずれかに記載の菌床栽培用袋。
【請求項５】
前記溶着部および前記通気孔は、円形形状である、請求項１〜４のいずれかに記載の菌床栽培用袋。
【発明の詳細な説明】
【技術分野】
【０００１】
この発明は、茸類などの菌床栽培に使用される菌床栽培用袋に関する。
【背景技術】
【０００２】
近年、空調設備が備えられた屋内において、プラスチックフィルムからなる菌床栽培用袋を用いた茸類などの菌床栽培が行われている。菌床栽培は、菌床栽培用袋にオガコなどの培地を詰め、茸類の培養を行った後に、培地を菌床栽培用袋から取り出して茸類を発生・育成させることにより行われる。培地を菌床栽培用袋から取り出す場合には、刃物を用いて袋を切り裂く必要があり、手間がかかるとともに、茸類を傷つけてしまうおそれがあった。
【０００３】
そこで、刃物を用いずに袋を引き剥がすことができる菌床栽培用袋が提案されている。たとえば、特開２００８−３５８０７号公報（特許文献１）には、袋体とフィルタとの溶着部に、フィルタを袋体の下方に向けて引き剥がす際に発生する引き剥がし応力を集中させるための応力集中部が設けられていることが開示されている。引き剥がし応力集中部は、溶着部の隅角部分や溶着部の交点部分に設けられ、フィルタを引き剥がすことにより、引き剥がし応力集中部に切込みが入り、菌床栽培用袋が引き剥がされることが開示されている。
【０００４】
一方、特開平５−３０８５３号公報（特許文献２）には、フィルムに形成された孔の周囲に引裂開始部が設けられることが開示されている。引裂開始部は、袋底に向かう方向、あるいは斜めに袋底に向かう方向に設けられ、袋底に向かって破れが誘導されることが開示されている。
【先行技術文献】
【特許文献】
【０００５】
【特許文献１】特開２００８−３５８０７号公報（特許第４２１７２５６号公報）
【特許文献２】特開平５−３０８５３号公報
【発明の概要】
【発明が解決しようとする課題】
【０００６】
上記特許文献１に示される菌床栽培用袋は、袋体とフィルタとの溶着力が、フィルタの引き剥がし力よりも弱い場合は、フィルタを袋体から引き剥がす際に、袋体からフィルタだけが剥がれてしまい、菌床栽培用袋を引き裂くことができない場合があった。このような場合、作業者は、袋体をはさみで切らなければならず、はさみで茸類を傷つけるおそれがあった。
【０００７】
また、上記特許文献２に示される菌床栽培用袋は、袋を破くためには、まずフィルタを剥がし、さらに孔に指を挿入して袋底方向に向かって引っ張る必要があるため、二度手間であった。
【０００８】
本発明は、上記のような課題を解決するためになされたものであって、その目的は、袋体を容易に引き剥がすことが可能な菌床栽培用袋を提供することである。
【課題を解決するための手段】
【０００９】
この目的のため本発明の一態様に係る菌床栽培用袋は、上端が開口し、下端が閉鎖されたプラスチックフィルムからなる袋体と、袋体に形成された通気孔と、通気孔を塞いで雑菌の侵入を阻止し空気を通過させるフィルタとを備え、袋体とフィルタとは、通気孔の外周を取り囲む溶着部により溶着されており、通気孔の開口縁と溶着部との間には一対の切り込みが設けられ、一対の切り込みと溶着部とによって囲まれた領域には、袋体と前記フィルタとを接着固定する接着固定部が設けられている。
【００１０】
好ましくは、通気孔は、前記袋体の上端側に位置し、一対の前記切り込みは、開口縁から下端方向に向けて延びている。
【００１１】
好ましくは、切り込みは、溶着部にまで延びている。
【００１２】
好ましくは、接着固定部は、通気孔の開口縁から溶着部まで延びている。
【００１３】
好ましくは、溶着部および通気孔は、円形形状である。
【発明の効果】
【００１４】
本発明によれば、袋体を容易に引き剥がすことが可能な菌床栽培用袋を提供することができる。
【図面の簡単な説明】
【００１５】
【図１】本発明の実施形態における袋体の正面図である。
【図２】本発明の実施形態に係る菌床栽培用袋の正面図である。
【図３】図２のＩＩＩ−ＩＩＩ線に沿って見た断面図である。
【図４】フィルタを引き剥がしている状態を示す模式図である。
【図５】フィルタをさらに引き剥がしている状態を示す模式図である。
【発明を実施するための形態】
【００１６】
本発明の実施の形態について図面を参照しながら詳細に説明する。なお、図中同一または相当部分には同一符号を付してその説明は繰り返さない。
【００１７】
図１および図２を参照して、本実施の形態に係る菌床栽培用袋１について説明する。図１は、本発明の実施形態における袋体１０の正面図である。図２は、本発明の実施形態に係る菌床栽培用袋１の正面図である。本実施の形態において、図１，２において矢印Ａ１で示す方向を上下方向、矢印Ａ２で示す幅方向を左右方向という。
【００１８】
菌床栽培用袋１は、上端が開口し、下端が閉鎖されたプラスチックフィルムからなる袋体１０と、袋体１０に形成された通気孔２０と、通気孔２０を塞ぐフィルタ３０とを備える。袋体１０とフィルタ３０とは、通気孔２０の外周を取り囲む溶着部３１により溶着されている。
【００１９】
袋体１０は、たとえば、ポリエチレン、ポリプロピレン、ポリエステルなどのプラスチックフィルムが使用される。袋体１０は、たとえば、上端が開口する開口部１１と、下端が溶着されて閉鎖される閉鎖部１２と、左右方向の両側端がガゼット折されるガゼット折部１３とを有する。
【００２０】
袋体１０の上端側、すなわち開口部１１側には、袋体１０の幅方向の中央部に通気孔２０が設けられている。通気孔２０は、たとえば、円形形状に形成されている。なお、通気孔２０は、多角形形状などの任意の形状であってもよい。
【００２１】
通気孔２０の開口縁２１には、一対の切り込み２２が設けられている。切り込み２２は、下方端に向けて延びており、たとえば、斜め下方を向いて設けられている。切り込み２２は、溶着部３１にまで延びている。具体的には、一対の切り込み２２は、たとえば、Ｉ字型ノッチである。なお、切り込み２２は、Ｖ字状の切り欠きや微小な傷を密集して設けられるものであってもよい。
【００２２】
上述したように、フィルタ３０は、通気孔２０の外周を取り囲む溶着部３１により袋体１０に溶着されている。フィルタ３０は、複数の孔が形成された多孔性シートであり、雑菌の侵入を阻止し空気を通過させる。フィルタ３０は、矩形形状に形成されている。なお、フィルタ３０は、たとえば、各種紙材、不織布またはフィルムで形成されていてもよい。また、フィルタ３０は、円形形状、多角形形状などの任意の形状であってもよい。
【００２３】
溶着部３１は、上述したように、袋体１０とフィルタ３０とを溶着する。溶着部３１は、たとえば、円形形状（リング形状）に形成され、加熱押圧やレーザー等により接着されていたり、接着材などにより接着されていてもよい。溶着部３１により囲まれた領域は、通気孔２０よりも大きく、フィルタ３０の外縁よりも小さく形成されている。フィルタ３０の外縁と溶着部３１との間の離反部３２は、袋体１０に溶着されておらず、袋体１０から離反している。この離反部３２は、袋体１０を引き剥がす場合、指で掴む部分となる。なお、溶着部３１は、多角形形状などの任意の形状であってもよい。
【００２４】
通気孔２０の開口縁２１と溶着部３１とによって囲まれた袋体１０の領域には、第１区画２３と第２区画２４とが設けられる。第１区画２３は、通気孔２０の下方側に位置し、一対の切り込み２２によって囲まれた領域である。第２区画２４は、正面視略逆Ｕ字型形状であり、通気孔２０の幅方向両端側および上方側に位置する。
【００２５】
第１区画２３には、袋体１０とフィルタ３０とを接着固定する接着固定部３４が設けられている。接着固定部３４は、通気孔２０の開口縁２１から溶着部３１まで延びており、第１区画２３の略全面に設けられていてもよい。接着固定部３４は、溶着部３１と同様または異なった方法により溶着されていてもよく、加熱押圧やレーザー等により接着されていたり、接着剤などにより接着されていてもよい。
【００２６】
次に、図３〜５を参照して、本実施の形態の菌床栽培用袋１の引き剥がし方法について説明する。
【００２７】
図３は、図２のＩＩＩ−ＩＩＩ線に沿って見た断面図であり、図３（Ａ）は、フィルタ３０が袋体１０に溶着されている状態を示す図であり、図３（Ｂ）は、フィルタ３０を袋体１０から引き剥がしている状態を示す図である。図４は、フィルタ３０を引き剥がしている状態を示す模式図であり、図５は、フィルタ３０を図４の状態からさらに引き剥がしている状態を示す模式図である。
【００２８】
菌床栽培用袋１からフィルタ３０を引き剥がすには、まず、フィルタ３０の外周縁の離反部３２を手で掴み、下方に引き下げる。この引き下げにより、図３（Ｂ）および図４に示すように、フィルタ３０とともに一対の切り込み２２の間に設けられる接着固定部３４（第１区画２３）が起き上がる。フィルタ３０をさらに引き下げると、フィルタ３０に接続固定されている接着固定部３４がフィルタ３０とともに下方に引っ張られ、図５に示すように、袋体１０は、一対の切り込み２２の下方端を起点として下方に向かって破れていく。これにより、作業者は、フィルタ３０を下方に引き下げる力だけで、袋体１０を容易に引き裂くことができる。さらに、作業者は、刃物を用いずに袋体を引き裂くことができるため、茸類を傷つけるおそれがない。
【００２９】
上述したように、接着固定部３４は、一対の切り込み２２と溶着部３１とによって囲まれた第１区画２３に設けられている。このため、フィルタ３０を引き剥がすと、図３（Ｂ）および図４に示されるように、フィルタ３０の第１区画２３も引き起こされるため、袋体１０からフィルタ３０だけが剥がれてしまうおそれがない。
【００３０】
なお、上記実施の形態において、一対の切り込み２２は、下端に向かって延び、フィルタ３０を引き剥がす方向は下方であるとしたが、限定的ではない。一対の切り込み２２は、下端以外の方向、たとえば、幅方向に向かって延びる方向に向かって延びていてもよく、その場合、フィルタ３０を引き剥がす方向も幅方向であってもよい。
【００３１】
また、上記実施の形態において、接着固定部３４は、第１区画２３の略全面に設けられるとして説明した。しかし、接着固定部３４は、一対の切り込み２２の間に設けられていればよく、たとえば、スポット状に設けられていたり、通気孔２０の開口縁２１から溶着部３１に向かって延びる複数の直線で設けられていてもよい。また、接着固定部３４は、溶着部３１を越えて、延長して設けられていてもよい。
【００３２】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００３３】
１  菌床栽培用袋、１０  袋体、１１  開口部、１２  閉鎖部、１３  ガゼット折部、２０  通気孔、２１  開口縁、２２  切り込み、２３  第１区画、２４  第２区画、３０  フィルタ、３１  溶着部、３２  離反部、３４  接着固定部。
【要約】
【課題】袋体を容易に引き剥がすことが可能な菌床栽培用袋を提供すること。
【解決手段】菌床栽培用袋（１）は、上端が開口し、下端が閉鎖されたプラスチックフィルムからなる袋体（１０）と、袋体に形成された通気孔（２０）と、通気孔を塞いで雑菌の侵入を阻止し空気を通過させるフィルタ（３０）とを備える。袋体とフィルタとは、通気孔の外周を取り囲む溶着部（３１）により溶着されており、通気孔の開口縁と溶着部との間には一対の切り込み（２２）が設けられ、一対の切り込みと溶着部とによって囲まれた領域には、袋体と前記フィルタとを接着固定する接着固定部（３４）が設けられている。
【選択図】図２【図１】
0006047649.tif 000002
【図２】
0006047649.tif 000003
【図３】
0006047649.tif 000004
【図４】
0006047649.tif 000005
【図５】
0006047649.tif 000006